(57)【特許請求の範囲】
【請求項１】
ランプと、鉛直方向に沿って配設されて上端部に設置されたランプからの光を伝達する導光部材と、鉛直方向に沿って導光部材に重合した状態で配設される表示部材と、導光部材を載置して支持する支持部材と、を備えた照明器具において、前記導光部材は中央片および中央片の上部から側方へ延設された延設片を有した略T字状に形成されており、前記支持部材は前記鉛直方向から見たときに前記導光部材を周回して包囲する包囲部が設けられ、前記包囲部は前記導光部材の上端部を周回して包囲しており、かつ、前記導光部材内で伝達された光を上端部から漏れないように遮光する遮光片を有することを特徴とする照明器具。
【請求項２】
前記包囲部と前記導光部材とを係合する係合手段を前記延設片とその対向位置にある前記包囲部とに設けたことを特徴とする請求項１記載の照明器具。
【請求項３】
前記係合手段は、鉛直方向から見たときに、非点対称となる位置に設けられていることを特徴とする請求項２記載の照明器具。
【発明の詳細な説明】
【０００１】
【発明の属する技術分野】
本発明は、誘導灯等の照明器具に関する。
【０００２】
【従来の技術】
従来、この種の照明器具として図４及び図５に示すものが存在する。このものは、ランプA と、鉛直方向に沿って配設されてランプA からの光を伝達する導光部材B と、鉛直方向に沿って導光部材B に重合した状態で配設される表示部材C と、導光部材B を載置して支持する支持部材D と、を備えている。詳しくは、このものの支持部材D は、表示部材C に平行な平行片D1及びその平行片D1の三方の周囲から立設された立設片D2からなる。
【０００３】
このものは、前述した立設片D2のうち、鉛直方向の最下部に位置する立設片D2の内方面からなる載置面D3に導光部材B を載置した後に、支持部材D の平行片D1に対向する対向面とは反対側の表面に、表示部材C が接着により配設され、その後、ランプA 及びそのランプA の光を反射させる断面略Ｕ字状のランプ反射板E が配設されて、その配設されたランプ反射板E により、表示部材C が配設された導光部材B 及び支持部材D の平行片D1が挟持されることによって、導光部材B が固定される。
【０００４】
【発明が解決しようとする課題】
上記した照明器具にあっては、導光部材B は、断面略Ｕ字状のランプ反射板E により、支持部材D の平行片D1と共に挟持されて固定されるまでは、支持部材D の平行片D1とは反対側の方向へ倒れ込んだときに、その倒れ込みに何ら規制がされないから、載置面D3から落下してしまう。そのために、載置面D3から落下しないよう留意しながら、各部材の配設作業をしなければならず、配設作業の作業性がそれ程高くならないという問題点があった。
【０００５】
本発明は、上記の点に着目してなされたもので、その目的とするところは、配設作業の作業性を高くすることができる照明器具を提供することにある。
【０００６】
【課題を解決するための手段】
上記した課題を解決するために、請求項１記載の発明は、ランプと、鉛直方向に沿って配設されて上端部に設置されたランプからの光を伝達する導光部材と、鉛直方向に沿って導光部材に重合した状態で配設される表示部材と、導光部材を載置して支持する支持部材と、を備えた照明器具において、前記導光部材は中央片および中央片の上部から側方へ延設された延設片を有した略T字状に形成されており、前記支持部材は前記鉛直方向から見たときに前記導光部材を周回して包囲する包囲部が設けられ、前記包囲部は前記導光部材の上端部を周回して包囲しており、かつ、前記導光部材内で伝達された光を上端部から漏れないように遮光する遮光片を有する構成にしている。
【０００７】
請求項２記載の発明は、請求項１記載の発明において、前記包囲部と前記導光部材とを係合する係合手段を前記延設片とその対向位置にある前記包囲部とに設けた構成にしている。
【０００８】
請求項３記載の発明は、請求項２記載の発明において、前記係合手段は、鉛直方向から見たときに、非点対称となる位置に設けられた構成にしている。
【００１０】
【発明の実施の形態】
本発明の第１実施形態を図１及び図２に基づいて以下に説明する。1 は導光部材で、中央片1a及び両延設片1b,1b により、一端部が幅広の略Ｔ字状に形成され、鉛直方向に沿って配設された状態で、この導光部材1 の近傍に配設されたランプ2 からの光を伝達する。3 は集光レンズシートで、導光部材1 によって伝達された光を集光する。
【００１１】
4 は表示部材で、中央片4a及び両対向片4b,4b を有して、断面略コ字状に形成され、集光レンズシート3 を介して導光部材1 上に設けられることにより、鉛直方向に沿って導光部材1 に重合した状態で配設され、導光部材1 により伝達されたランプ2 からの光、詳しくは、集光レンズシート3 によって集光された光によって、表示部材4 に記された表示内容が明るく表示される。この表示部材4 は、導光部材1 の中央片1aに設けられた凸部1cが、集光レンズシート3 に設けられた貫通孔3aを貫通した状態で嵌合する凹部4cを中央片4aの内方面に設けている。従って、導光部材1 と表示部材4 との間に集光レンズシート3 が固定されることとなる。
【００１２】
5 は支持部材で、ＰＭＭＡ樹脂及びＰＣ樹脂の混合体からなり、ＴｉＯ2 が配合されることによって、不透過性及び高反射性を有している。この支持部材5 は、表示部材4 に平行な平行片5a及びその平行片5aの三方の周囲から立設された立設片5bを有し、この立設片5bのうち、鉛直方向の最下部に位置する立設片5bの内方面からなる載置面5cに導光部材1 が載置され、鉛直方向から見たときに、載置された導光部材1 の上端部を周回して包囲する筒状の包囲部5dが設けられている。この包囲部5dのうち、表示部材に隣接する部分は、導光部材1 内で伝達された光が上端部から漏れないよう遮光する遮光片5eとなっており、光が導光部材1 の表面と臨界角をなすよう伝達されても、導光部材1 表面から散逸しないようになっている。
【００１３】
この包囲部5dの長手方向の内寸は、導光部材1 の幅広部分の幅寸法と略同一寸法となっており、導光部材1 が他端部側から包囲部5dに挿入されて、導光部材1 が支持部材5 の載置面5cに載置されたときに、導光部材1 の幅広部分が包囲部5d内に位置することとなる。この包囲部5dは、導光部材1 の両延設片1b,1b の一面のみから突設された断面角型の突設部1dに係合する係合孔5fが穿設され、この突設部1d及び係合孔5fによって、包囲部5dと導光部材1 とを係合する係合手段10が構成される。また、上記したように、導光部材1 は、その両延設片1b,1b の一面のみに突設部1dが突設されているので、鉛直方向から見たときに非点対称となっている。
【００１４】
6 はランプ反射板で、断面略Ｕ字型に形成され、包囲部5dの内方に配設された状態で、ランプ2 からの光を導光部材1 へ向かって反射する。
【００１５】
かかる照明器具にあっては、導光部材1 は、支持部材5 から落下する方向へ倒れ込んでも、その導光部材1 を周回して包囲するよう支持部材5 に設けられた包囲部5dにより、倒れ込みが規制されるから、支持部材5 から落下することがなくなり、載置面5cから落下しないよう留意しながら各部材の配設作業をしなくてもよくなり、配設作業の作業性を高くすることができる。
【００１６】
また、導光部材1 は、その上端部が包囲部5dにより周回して包囲されているから、ランプ2 からの光が上端部から漏れるのを防止することができる。
また、係合手段10によって、包囲部5dと導光部材1 とが係合するから、支持部材5 に載置される導光部材1 の位置決めがやり易くなる。
【００１７】
また、導光部材1 は、鉛直方向から見て非点対称であるから、支持部材5 に載置して支持させるときに、所定の状態から１８０°回転させて裏表逆の状態で配設してしまうというな誤作業をなくすことができる。
【００１８】
次に、本発明の第２実施形態を図３に基づいて以下に説明する。なお、第１実施形態と実質的に同一の機能を有する部材には同一の符号を付し、第１実施形態と異なるところのみ記す。第１実施形態では、係合手段10は、導光部材1 に突設された突設部1d及び包囲部5dに設けられた係合孔5fによって、包囲部5dと導光部材1 とを係合するが構成されているのに対し、本実施形態では、導光部材1 に設けられた非貫通の係合孔5f及び包囲部5dに突設された突設部1dによって、包囲部5dと導光部材1 とを係合するが構成されている。
【００１９】
かかる照明器具にあっては、第１実施形態と同一の効果を奏することができる。
【００２０】
なお、第１及び第２実施形態では、包囲部5dは、導光部材1 の上端部を周回して包囲するよう設けられているが、例えば、導光部材1 の中央部を周回して包囲するよう設けられてもよい。
【００２１】
また、包囲部5dと導光部材1 とを係合する係合手段10が設けられているが、係合手段10が設けられたものに限るものではない。
【００２２】
また、第１及び第２実施形態では、導光部材1 は、鉛直方向から見たときに非点対称であるが、非点対称のものに限るものではない。
【００２３】
また、第１及び第２実施形態では、導光部材1 の中央片1aに凸部1cが設けられ、その凸部1cが、表示部材4 の中央片4aの内方面に設けられた凹部4c嵌合する構成となっているが、表示部材4 の中央片4aの内方面に凸部が設けられ、その凸部が、導光部材1 の中央片1aにに設けられた凹部4c嵌合する構成となっていても、同様の効果を奏することができる。
【００２４】
【発明の効果】
請求項１記載の発明は、導光部材は、支持部材から落下する方向へ倒れ込んでも、その導光部材を周回して包囲するよう支持部材に設けられた包囲部により、倒れ込みが規制されるから、支持部材から落下することがなくなり、載置面から落下しないよう留意しながら各部材の配設作業をしなくてもよくなり、配設作業の作業性を高くすることができ、導光部材は、その上端部が包囲部により周回して包囲されているとともに、包囲部は遮光片を有しているので、ランプからの光が上端部から漏れるのを防止することができる。
【００２５】
請求項２記載の発明は、請求項１記載の発明の効果に加えて、係合手段によって、包囲部と導光部材とが係合するから、支持部材に載置される導光部材の位置決めがやり易くなる。
【００２６】
請求項４記載の発明は、請求項２記載の発明の効果に加えて、係合手段は、鉛直方向から見たときに、非点対称であるから、支持部材に載置して支持させるときに、所定の状態から１８０°回転させて裏表逆の状態で配設してしまうというな誤作業をなくすことができる
【図面の簡単な説明】
【図１】本発明の第１実施形態の分解斜視図である。
【図２】同上の断面図である。
【図３】本発明の第２実施形態の分解斜視図である。
【図４】従来例の分解斜視図である。
【図５】同上の部分断面図である。
【符号の説明】
1   導光部材
2   ランプ
4   表示部材
5   支持部材
5d  包囲部
10  係合手段
【図１】
0003882331.tif 000002
【図２】
0003882331.tif 000003
【図３】
0003882331.tif 000004
【図４】
0003882331.tif 000005
【図５】
0003882331.tif 000006